【手続補正書】
【提出日】令和1年12月12日(2019.12.12)
【手続補正１】
【補正対象書類名】特許請求の範囲
【補正対象項目名】全文
【補正方法】変更
【補正の内容】
【特許請求の範囲】
【請求項１】
複数の対象者に取り付けられて該対象者の生体情報を測定する複数の測定機器と、該測定機器により測定された前記対象者の生体情報を表示するための観測者用の携帯可能な情報処理端末とを備える生体情報モニタリングシステムであって、
前記複数の測定機器は、
一の対象者に取り付けられ得る他の測定機器とともに予めセットとして管理され、
前記対象者の生体情報を測定する測定部と、
測定機器のセット毎に付与される識別情報と、前記測定部により測定された生体情報を記憶する機器記憶部と、
登録リクエストに応じて付加情報を発行し、一のセットに含まれる複数の測定機器が取り付けられる一の対象者の識別情報として、当該付加情報と前記識別情報を含む識別情報を生成して前記機器記憶部に記憶させ、終了リクエストに応じて前記機器記憶部に記憶されている当該一の対象者の識別情報を削除する識別情報生成部と、
前記機器記憶部により記憶された対象者の識別情報を前記情報処理端末に送信する機器通信部と、
をそれぞれ有し、
前記情報処理端末は、
前記複数の対象者に取り付けられた複数の測定機器の機器通信部から送信された複数の対象者の識別情報を受信する端末通信部と、
前記観測者に、前記複数の対象者の識別情報を選択可能に表示するための表示情報を生成する処理部と、
前記観測者により、前記複数の対象者の識別情報から一の対象者の識別情報の選択を受け付ける選択受付部と、
を有し、
前記端末通信部は、前記選択受付部により受け付けられた一の対象者の識別情報を記憶する複数の測定機器が取り付けられた一の対象者の生体情報を送信させるための命令を前記機器通信部へ送信し、
前記機器通信部は、前記端末通信部から送信された送信命令に基づいて、前記一の対象者の識別情報を記憶する複数の測定機器が取り付けられた一の対象者の生体情報を、前記端末通信部に送信し、
前記処理部は、前記端末通信部が受信した生体情報を、前記情報処理端末の表示画面に表示するための表示情報を生成する生体情報モニタリングシステム。
【請求項２】
前記識別情報生成部は、時刻情報又は位置情報を付加情報とすることを特徴とする請求項１に記載の生体情報モニタリングシステム。
【請求項３】
前記情報処理端末は、さらに、
前記観測者により前記対象者から取得された、当該対象者の対象者情報を受け付ける対象者情報受付部と、
所定の記憶装置に予め記憶された対象者情報データベースの中から、前記対象者情報受付部が受け付けた対象者情報に対応する対象者情報を有する一の対象者を特定する対象者特定部と
を有し、
前記端末通信部は、前記選択受付部により受け付けられた一の識別情報を記憶する複数の測定機器が取り付けられた一の対象者の生体情報、または、前記対象者特定部により特定された一の対象者の生体情報、を送信させるための命令を前記機器通信部へ送信することを特徴とする請求項１に記載の生体情報モニタリングシステム。
【請求項４】
前記対象者情報は、氏名情報、指紋情報、静脈情報、顔情報および／または虹彩情報の少なくとも一つを含むことを特徴とする請求項３に記載の生体情報モニタリングシステム。
【請求項５】
前記生体情報モニタリングシステムは、さらに、
前記生体情報を遠隔からモニタリングするための情報処理装置を備え、
前記情報処理端末および前記情報処理装置は、サーバ記憶部およびサーバ処理部を有する第一のサーバ装置とネットワークを介して接続され、
前記サーバ記憶部は、前記情報処理端末から送信された前記生体情報を受信して記憶し、
前記サーバ処理部は、前記生体情報を、前記情報処理装置の表示画面に表示するための表示情報を生成することを特徴とする請求項１〜４のいずれか一項に記載の生体情報モニタリングシステム。
【請求項６】
前記情報処理端末は、さらに、ＭＱＴＴサーバである第二のサーバ装置を介して前記第一のサーバ装置と接続されることを特徴とする請求項５に記載の生体情報モニタリングシステム。
【請求項７】
複数の対象者に取り付けられて該対象者の生体情報を測定する複数の測定機器と、該測定機器により測定された前記対象者の生体情報を表示するための観測者用の携帯可能な情報処理端末とを備える生体情報モニタリングシステムにおいて実行される生体情報モニタリング方法であって、
前記複数の測定機器は、一の対象者に取り付けられ得る他の測定機器とともに予めセットとして管理され、各測定機器は、測定機器のセット毎に識別情報が予め付与され、
前記複数の測定機器に、
前記対象者の生体情報を測定する測定ステップと、
リクエストに応じて付加情報を発行し、一のセットに含まれる複数の測定機器が取り付けられる一の対象者の識別情報として、当該付加情報と前記識別情報を含む識別情報を生成し、終了リクエストに応じて当該一の対象者の識別情報を削除する識別情報生成ステップと、
前記対象者の識別情報および前記測定ステップにおいて測定された生体情報を記憶する機器記憶ステップと、
前記機器記憶ステップにおいて記憶された対象者の識別情報を前記情報処理端末に送信する機器通信ステップと、
をそれぞれ実行させ、
前記情報処理端末に、
前記複数の対象者に取り付けられた複数の測定機器の機器通信部から送信された複数の対象者の識別情報を受信する端末通信ステップと、
前記観測者に、前記複数の対象者の識別情報を選択可能に表示するための表示情報を生成する処理ステップと、
前記観測者により、前記複数の対象者の識別情報から一の対象者の識別情報の選択を受け付ける選択受付ステップと、
を実行させ、
前記情報処理端末は、前記選択受付ステップにおいて受け付けられた一の対象者の識別情報を記憶する複数の測定機器が取り付けられた一の対象者の生体情報を送信させるための命令を前記測定機器へ送信し、
前記測定機器は、前記情報処理端末により送信された送信命令に基づいて、前記一の識別情報を記憶する複数の測定機器が取り付けられた一の対象者の生体情報を、前記情報処理端末に送信し、
前記情報処理端末は、前記測定機器が送信して前記情報処理端末が受信した生体情報を、前記情報処理端末の表示画面に表示するための表示情報を生成する生体情報モニタリング方法。
【請求項８】
複数の対象者に取り付けられて該対象者の生体情報を測定する複数の測定機器と、該測定機器により測定された前記対象者の生体情報を表示するための観測者用の携帯可能な情報処理端末とを備える生体情報モニタリングシステムを実現するための生体情報モニタリングプログラムであって、
前記複数の測定機器は、一の対象者に取り付けられ得る他の測定機器とともに予めセットとして管理され、各測定機器は、測定機器のセット毎に識別情報が予め付与され、
前記情報処理端末に、
前記複数の対象者に取り付けられた複数の測定機器から送信された複数の対象者の識別情報を受信する端末通信機能と、
前記観測者に、前記複数の対象者の識別情報を選択可能に表示するための表示情報を生成する処理機能と、
前記観測者により、登録リクエストに応じて前記複数の対象者の識別情報から一の対象者の識別情報の選択を受け付ける選択受付機能と
を実現させ、
前記端末通信機能は、前記選択受付機能において受け付けられた一の対象者の識別情報を記憶するとともに終了リクエストに応じて当該一の対象者の識別情報を削除し、複数の測定機器が取り付けられた一の対象者の生体情報を送信させるための命令を前記測定機器へ送信し、
前記処理機能は、前記測定機器が送信して前記端末通信機能が受信した生体情報を、前記情報処理端末の表示画面に表示するための表示情報を生成する生体情報モニタリングプログラム。